(57)【要約】【課題】  電力線搬送通信などによるネットワークを用いて遠隔的に電源の制御を行う電源制御装置において、装置が各信号に応答可能とすると複雑な構造になってしまうという問題点があった。【解決手段】  本発明の電源制御装置は、開閉器を有して電源の制御を行う主電源制御器側は、電源制御信号に識別信号を付加してネットワークにブロードキャストし、電源の制御を遠隔的に操作される被制御機器を接続された従電源制御器側は前記ブロードキャストされた信号に含まれる識別信号が所定の番号であれば、前記被制御機器の電源を前記制御信号に従って制御する方法により解決した。【選択図】図１
2009188506.tif 000002
【特許請求の範囲】
【請求項１】
電源の制御を遠隔的に行うために主電源制御器と従電源制御器との間をネットワークで接続した電源制御装置であって、
前記主電源制御器は、
電気回路のオン・オフを行う開閉器と、
前記開閉器のオン・オフ状態を検知して前記従電源制御器へ接続又は切断の少なくとも一方の制御信号を発生させる制御信号発生部と、
前記制御信号を送信するネットワークインタフェースと、を有し、
前記従電源制御器は、
前記制御信号を受信するネットワークインタフェースと、
前記受信した制御信号を解析する信号解析部と、
前記信号解析部の解析に基づいて、前記従電源制御器から電源の供給を受ける従被制御機器の電源の切断又は接続の少なくとも一方を行う従制御部と、を有する
ことを特徴とする電源制御装置。
【請求項２】
請求項１の電源制御装置であって、
前記主電源制御器は、前記開閉器のオン・オフ状態に応じて前記主電源制御器から電源の供給を受ける主被制御機器の電源の切断又は接続の少なくとも一方を行う主制御部を有する
ことを特徴とする電源制御装置。
【請求項３】
請求項１又は２の電源制御装置であって、
前記制御信号発生部は、前記制御信号に識別信号を付加して送信し、
前記従制御部は、前記信号解析部が解析した前記受信した制御信号中の前記識別信号があらかじめ設定された所定の識別信号である場合に、前記従被制御機器の電源を制御信号に従って切断又は接続の少なくとも一方を行う
ことを特徴とする電源制御装置。
【請求項４】
請求項１から３のいずれかの電源制御装置であって、
前記ネットワークは、電力線搬送通信によるか、又は、ローカルエリアネットワークによるものである
ことを特徴とする電源制御装置。
【発明の詳細な説明】
【技術分野】
【０００１】
電力線搬送通信などのネットワークを利用して、遠隔的に被制御機器の電源を制御可能とする電源制御装置の技術に関するものである。
【背景技術】
【０００２】
電力線搬送通信を用いたネットワークを通してリモートに機器の電源の制御を行う方法がある。この場合には機器は電源を電力線から供給されており、電源制御の信号も同じ電力線を通して行われるため、新たにネットワーク配線を敷設する必要が無く、簡単に装置の設定が可能なので多くの利用が見込まれる。
【０００３】
例えば、制御機に対する端末機による指令によって、別の制御機に接続された別の端末の電源を制御し、正常に動作したかどうかの応答を返送する方法がある（特許文献１参照）。
【０００４】
しかし、この方法では、各制御機が制御信号及び正常動作の信号に応答する必要があり、装置構成が複雑となり開発にかかる時間及びコストがかかる問題があった。
【特許文献１】特開平９−１１６９７０号公報
【発明の開示】
【発明が解決しようとする課題】
【０００５】
解決しようとする問題点は、電力線搬送通信等を用いたネットワークにより遠隔的に電子機器の電源の制御を行う際に、簡単な構成で容易に該電源制御を可能とすることができなかった点である。
【課題を解決するための手段】
【０００６】
本発明の電源制御装置は、電源の制御を遠隔的に行うために主電源制御器と従電源制御器との間をネットワークで接続した電源制御装置であって、前記主電源制御器は、電気回路のオン・オフを行う開閉器と、前記開閉器のオン・オフ状態を検知して前記従電源制御器へ接続又は切断の少なくとも一方の制御信号を発生させる制御信号発生部と、前記制御信号を送信するネットワークインタフェースと、を有し、前記従電源制御器は、前記制御信号を受信するネットワークインタフェースと、前記受信した制御信号を解析する信号解析部と、前記信号解析部の解析に基づいて、前記従電源制御器から電源の供給を受ける従被制御機器の電源の切断又は接続の少なくとも一方を行う従制御部と、を有することを最も主要な特徴とする。
【０００７】
また、本発明の電源制御装置は、前記電源制御装置であって、前記主電源制御器は、前記開閉器のオン・オフ状態に応じて前記主電源制御器から電源の供給を受ける主被制御機器の電源の切断又は接続の少なくとも一方を行う主制御部を有することを主要な特徴とする。
【０００８】
また、本発明の電源制御装置は、前記電源制御装置であって、前記制御信号発生部は、前記制御信号に識別信号を付加して送信し、前記従制御部は、前記信号解析部が解析した前記受信した制御信号中の前記識別信号があらかじめ設定された所定の識別信号である場合に、前記従被制御機器の電源を制御信号に従って切断又は接続の少なくとも一方を行うことを主要な特徴とする。
【発明の効果】
【０００９】
本発明の電源制御装置は、電源の制御を遠隔的に行うために主電源制御器と従電源制御器との間をネットワークで接続した電源制御装置であって、前記主電源制御器は、電気回路のオン・オフを行う開閉器と、前記開閉器のオン・オフ状態を検知して前記従電源制御器へ接続又は切断の少なくとも一方の制御信号を発生させる制御信号発生部と、前記制御信号を送信するネットワークインタフェースと、を有し、前記従電源制御器は、前記制御信号を受信するネットワークインタフェースと、前記受信した制御信号を解析する信号解析部と、前記信号解析部の解析に基づいて、前記従電源制御器から電源の供給を受ける従被制御機器の電源の切断又は接続の少なくとも一方を行う従制御部と、を有することを最も主要な特徴とするため、簡単な構成で容易に電源制御を可能とすることが可能となった。
【００１０】
また、本発明の電源制御装置は、前記電源制御装置であって、前記主電源制御器は、前記開閉器のオン・オフ状態に応じて前記主電源制御器から電源の供給を受ける主被制御機器の電源の切断又は接続の少なくとも一方を行う主制御部を有することを主要な特徴とするため、主被制御機器と連動させて遠隔的に従被制御機器の電源を制御することが可能となった。
【００１１】
また、本発明の電源制御装置は、前記電源制御装置であって、前記制御信号発生部は、前記制御信号に識別信号を付加して送信し、前記従制御部は、前記信号解析部が解析した前記受信した制御信号中の前記識別信号があらかじめ設定された所定の識別信号である場合に、前記従被制御機器の電源を制御信号に従って切断又は接続の少なくとも一方を行うことを主要な特徴とするため、複数台の前記従被制御機器を識別信号に応じてその電源の制御が可能となった。。
【発明を実施するための最良の形態】
【００１２】
電源制御装置において、簡単な構成で容易に電源制御を可能とすることが出来ないという問題点を主電源制御器が開閉器の状態変化に従い、制御信号を送信して、従電源制御器が該制御信号を受信して解析し、制御信号に従い電源を制御するという方法により解決した。
【実施例１】
【００１３】
［構成］
図１は、本発明の実施例に係わる電源制御装置１００の機能ブロック図である。
【００１４】
本発明実施例では、主電源制御器１０１が１台と従電源制御器（従電源制御器Ａ１１１と従電源制御器Ｂ１２１）が２台とからなる構成の例について示すが、主電源制御器と従電源制御器のそれぞれの構成台数は、自由に組み合わせが可能である。
【００１５】
電源制御装置１００は、主電源制御器１０１と従電源制御器Ａ１１１及び従電源制御器Ｂ１２１とその間を接続する電力線搬送通信によるネットワーク２００から構成されている。
【００１６】
主電源制御器１０１は、開閉器１０３、切断信号発生部１０５、主制御部１０７、主インタフェース１０９を有する。
【００１７】
開閉器１０３は、電源スイッチであり主電源制御器１０１に接続された主被制御機器３０１の電源のオン・オフを開閉器１０３のオン・オフ状態に従って主制御部１０７によって制御すると共に、同様に、開閉器１０３のオン・オフ状態によって、従電源制御器Ａ１１１、Ｂ１２１に接続された従被制御機器Ａ３１１、Ｂ３２１の電源のオン・オフを制御可能である。
【００１８】
制御信号発生部１０５は、開閉器１０３のオン・オフ状態の変化に応じて、切断又は接続の制御信号を発生させる。開閉器１０３がオフからオン状態になった場合は接続信号を、オンからオフ状態になった場合は切断信号を発生させる。
【００１９】
又、制御信号発生部１０５は、図２に示すような識別信号ダイヤル１０５ｄを有して、該識別信号ダイヤル１０５ｄにより設定された識別信号を前記制御信号に付加して発生させる。
【００２０】
主制御部１０７は、開閉器１０３のオン・オフ状態を検知して、それに従い主制御部１０７に接続された主被制御機器３０１の電源のオン・オフを制御する。
【００２１】
主インタフェース１０９は、前記制御信号発生部１０５で発生した信号を電力線搬送通信によるネットワーク２００にブロードキャストして送信する。
【００２２】
従電源制御器Ａ１１１は、信号解析部Ａ１１３、従制御部Ａ１１７、従インタフェースＡ１１９を有する。
【００２３】
同様に、従電源制御器Ｂ１２１は、信号解析部Ｂ１２３、従制御部Ｂ１２７、従インタフェースＢ１２９を有する。従電源制御器Ａ１１１と従電源制御器Ｂ１２１とは同じ装置であり、各機能部の機能及び動作は同じであるので、以下の各機能部の説明では、従電源制御器Ａ１１１の各機能部についてのみ行い、従電源制御器Ｂ１２１の説明は省略する。
【００２４】
従インタフェースＡ１１９は、電力線搬送通信によるネットワーク２００に接続されており、主電源制御器１０１がブロードキャストする制御信号を受信する。
【００２５】
信号解析部Ａ１１３は、前記従インタフェースＡ１１９から信号を受け取り、前記制御信号について付加された識別番号が何番であるかと、該制御信号が切断信号であるか接続信号であるかについて解析する。信号解析部Ａ１１３には、識別信号選択スイッチＡ１１３ｄ（図２）を有しており、前記識別番号と前記識別信号選択スイッチＡで選択された番号が同じであった場合にのみ、該制御信号の切断又は接続に従って電源制御の動作を行う。
【００２６】
従制御部Ａ１１７は、前記信号解析部Ａ１１３の解析結果に基づいて、前記識別信号が前記識別信号選択スイッチＡ１１３ｄで選択された番号と同じであれば、制御信号の接続又は切断に応じて、従被制御機器Ａ３１１の電源を切断又は接続する。
【００２７】
［電源制御の例］
図２に実施例１の電源制御装置１００で開閉器のスイッチをオンからオフにした場合の被制御機器３０１、３１１、３２１の動作について説明する。
【００２８】
図２（Ａ）では、主電源制御器１０１の開閉器１０３はオン状態であり、識別信号ダイヤル１０５ｄは１番に設定されている。従電源制御器Ａ１１１の識別信号選択スイッチＡ１１３ｄは１番、従電源制御器Ｂ１２１の識別信号選択スイッチＢ１２３ｄは２番に設定されている。電源を制御される被制御機器の各電源状態は、主被制御機器３０１、従被制御機器Ａ３１１、従被制御機器Ｂ３２１ともいずれもオン状態である。
【００２９】
ここで、開閉器１０３をオフにしたときの状態を図２（Ｂ）に示す。開閉器１０３がオフにされたことにより主被制御機器３０１の電源がオフになる。又同時に、識別番号１番が付加された切断信号がネットワークにブロードキャストされる。従電源制御器Ａ１１１は、識別信号選択スイッチＡ１１３ｄの値が１番であるため、該切断信号に反応して、従被制御機器Ａ３１１の電源をオフにする。
【００３０】
従電源制御器Ｂ１２１は、惜別信号選択スイッチＢ１２３ｄの値が２番に設定されているため、主電源制御器１０１からの識別信号１番が付加された切断信号には反応せず、従被制御機器Ｂ３２１の電源はオン状態のままである。
【００３１】
［フローチャート］
図３のフローチャートを用いて電源制御装置１００の動作の流れについて説明する。図３（Ａ）に主電源制御器１０１側のフローチャート、図３（Ｂ）に従電源制御器１１１、１２１側のフローチャートを示して以下に各ステップについて説明する。
【００３２】
図３（Ａ）では、主電源制御器１０１の開閉器１０３のオン・オフ状態が変化することにより動作が開始する。
【００３３】
Ｓ１１：主制御部１０７は、開閉器１０３のオン・オフ状態変化を検知して、該状態変化に従って、主被制御機器３０１の電源のオン・オフの制御を行う。
【００３４】
Ｓ１３：制御信号発生部１０５は、識別信号ダイヤル１０５ｄの設定に従って識別信号を付加して、開閉器１０３のオン・オフ状態変化に応じて切断又は接続の制御信号を発生させる。
【００３５】
Ｓ１５：Ｓ１３で発生した制御信号を主インタフェース１０９が電力線搬送通信によるネットワークに送信する。
【００３６】
次に図３（Ｂ）を用いて、従電源制御機器Ａ１１１の動作について説明する。
【００３７】
Ｓ２１：従インタフェースＡ１１９は制御信号受信して、信号解析部Ａ１１３が該制御信号中に含まれる識別番号について及び制御信号が切断か又は接続かについてを解析する。
【００３８】
Ｓ２３：Ｓ２１で解析の結果、制御信号の識別信号が識別信号選択スイッチＡ１１３ｄの設定番号と同じであるかどうかを判断する。同じであれば、動作をＳ２５に移行する。同じでなければ同制御信号には反応せず（何も動作を行わず）動作を終了する。
【００３９】
Ｓ２５：識別信号が設定番号と同じであったので、従制御部Ａ１１７は被従制御機器Ａ３１１の電源を制御信号に応じてオン・オフする。
【００４０】
上記は、従電源制御器Ａ１１１を例にして説明したが、従電源制御器Ｂ１２１も同様に動作する。
【００４１】
［実施例の効果］
本発明実施例の電源制御装置１００により、以下のことが可能となった。
【００４２】
本方式により、主電源制御器側は、一方的に送信する能力のみを備えておればよく、又、従電源制御器側は、信号を受信して解析する能力のみを備えておればよい。そのため装置の構成は非常に簡単となり、システムの開発にかかる期間及びコストなどが大きく削減される。
【００４３】
本方式により、主電源制御器１０１に直接接続された、主被制御機器３０１の電源と、遠隔的に制御する従被制御機器３１１、３２１の電源とを連動してオン・オフする制御が可能となる。
【００４４】
本方式によって、複数台の被制御機器の電源を複数台のスイッチ（主電源制御器１０１の開閉器１０３）によって制御が可能となる。
【００４５】
あらかじめ、連動して電源を動作されるように電源制御装置を設定しておくことで、複数台の関連する装置について電源の切り忘れを防止することができる。
【００４６】
［その他］
本発明実施例では、主電源制御器１０１は主制御部１０７を有して、主被制御機器３０１の電源を制御する電源制御装置１００としたが、主電源制御器１０１は、主制御部１０７を有さないで主被制御機器３０１の電源制御を行わずに、従被制御機器３１１、３２１の電源制御を遠隔に行うだけの構成であっても良い。
【００４７】
本発明実施例では、制御信号は切断信号と接続信号の両方を送受信可能で切断又は接続の両方の動作に対応する装置であるが、切断又は接続のどちらかの制御信号のみを送信して、該信号に従って動作する方法であってもよい。又、主電源制御器が制御信号の切断信号のみを送信するか、接続信号のみを送信するか、又はその両方を送信するかの選択を設定可能な構成であっても良いし、又、同様に従電源制御機器が制御信号の切断信号のみに応答するか、接続信号のみに応答するか、又はその両方に応答するかの選択を設定可能な構成であっても良い。
【００４８】
本発明実施例では、主電源制御器１０１側に具備された識別信号ダイヤル１０５ｄの設定により識別信号を送信する方式としたが、主電源制御器１０１の固有の番号、例えばシリアル番号やＭＡＣアドレスなどを識別信号として利用する方法であってもよい。
【００４９】
本発明実施例では、従電源制御器１１１、１２１側の設定を識別信号選択スイッチ１１３ｄ、１２３ｄによって行う方式としたが、ネットワークを通じて設定画面にアクセスして設定を行う方法であってもよい。
【００５０】
本発明実施例では、主電源制御器１０１と従電源制御器１１１がそれぞれ別の筐体に入っている構成について説明したが、一台の筐体に主電源制御器１０１と従電源制御器１１１とが入っている電源制御装置で、複数台の該電源制御装置間をネットワークで接続して、相互に電源が制御可能な形であっても良い。
【００５１】
本発明実施例では、電力線搬送通信を用いたネットワークについて説明を行った。本電源制御機器は電源制御を行うための装置であり、電力線には必ず接続されているため、電力線搬送通信を用いたネットワークを用いる場合に最も本発明の効果が生かされる。なぜなら制御信号のやり取り用に新たにネットワークの敷設の必要が無いためである。しかし、電力線搬送通信ではない方式のネットワークによっても本発明は実施可能である。例えば、一般に用いられるローカルエリアネットワークを用いてもよい、そのローカルエリアネットワークは、有線であってもよいし、又は無線によるものであってもよい。
【図面の簡単な説明】
【００５２】
【図１】本発明実施例の電源制御装置の機能ブロック図である（実施例１）。
【図２】本発明実施例の電源制御装置を用いての電源制御を示す図である（実施例１）。
【図３】本発明実施例の電源制御装置のフローチャートである（実施例１）。
【符号の説明】
【００５３】
１００  電源制御装置
１０１  主電源制御器
１０３  開閉器
１０５  制御信号発生部
１０５ｄ  識別信号ダイヤル
１０７  主制御部
１０９  主インタフェース
１１１  従電源制御器Ａ
１１３  信号解析部Ａ
１１３ｄ  識別信号選択スイッチＡ
１１７  従制御部Ａ
１１９  従インタフェースＡ
１２１  従電源制御器Ｂ
１２３  信号解析部Ｂ
１２３ｄ  識別信号選択スイッチＢ
１２７  従制御部Ｂ
１２９  従インタフェースＢ
３０１  主被制御機器
３１１  従被制御機器Ａ
３２１  従被制御機器Ｂ
【図１】
2009188506.tif 000003
【図２】
2009188506.tif 000004
【図３】
2009188506.tif 000005